(57)【要約】【課題】画像データの傾きをより正確に補正できる傾き補正方法及び画像読取装置を提供する。【解決手段】この発明の傾き補正方法は、原稿Ｘの傾き量が変化しやすい傾き量変化位置を含む原稿搬送路中を搬送されながら画像を読み取られた基準原稿４０の読取画像データと予め記憶されている基準原稿４０の基準画像データとを比較した結果に基づいて、通常の原稿Ｘから読み取られた画像データの傾きを補正する。基準原稿４０は、原稿搬送路中の傾き量変化位置を原稿の前端Ｐ又は後端Ｑが通過するときに原稿読取位置Ｅにある原稿の箇所のそれぞれで複数の画像領域に区画される。複数の画像領域のそれぞれに基準図形４１〜４４が形成される。読取画像データと基準画像データとについてそれぞれの対応する基準図形同士を比較することで画像領域毎の傾き量を検出し、通常の原稿Ｘから読み取られた画像データの傾きを傾き量に基づいて画像領域毎に補正する。【選択図】図４
2008167093.tif 000002
【特許請求の範囲】
【請求項１】
原稿の傾き量が変化しやすい傾き量変化位置を含む原稿搬送路中を搬送されながら画像を読み取られた基準原稿の読取画像データと予め記憶されている前記基準原稿の基準画像データとを比較した結果に基づいて、前記原稿搬送路を搬送中の通常の原稿から読み取られた画像データの傾きを補正する傾き補正方法であって、
前記基準原稿は、前記原稿搬送路中の前記傾き量変化位置を原稿の前端又は後端が通過するときに原稿読取位置にある原稿の箇所のそれぞれで複数の画像領域に区画され、前記複数の画像領域のそれぞれに基準図形が形成されており、
前記読取画像データと前記基準画像データとについてそれぞれの対応する基準図形同士を比較することで前記画像領域毎の傾き量を検出し、
通常の原稿から読み取られた画像データの傾きを前記傾き量に基づいて前記画像領域毎に補正することを特徴とする傾き補正方法。
【請求項２】
前記傾き量変化位置は、原稿を搬送する第１ローラに原稿の前端が接触する位置、原稿を搬送する第２ローラから原稿の後端が離間する位置、及び、原稿の幅方向の位置を規制する幅ガイド部材から原稿の後端が離間する位置のうち、少なくとも１個を含むことを特徴とする請求項１に記載の傾き補正方法。
【請求項３】
前記基準図形は、原稿の搬送方向に直交する方向に延びる直線を含むことを特徴とする請求項１又は２に記載の傾き補正方法。
【請求項４】
複数の画像領域のそれぞれに基準図形を形成された基準原稿及び通常の原稿の画像を読み取る画像読取部であって前記画像領域は原稿搬送路中の原稿の傾き量が変化しやすい傾き量変化位置を原稿の前端又は後端が通過するときに原稿読取位置にある原稿の箇所のそれぞれで区画される画像読取部と、
前記基準原稿の基準画像データを予め記憶する記憶部と、
前記記憶部で記憶されている前記基準画像データと前記画像読取部で読み取られた前記基準原稿の読取画像データとについてそれぞれの対応する基準図形同士を比較することで前記画像領域毎の傾き量を検出する検出部と、
前記画像読取部で読み取られた通常の原稿の画像データの傾きを前記検出部で検出された前記傾き量に基づいて前記画像領域毎に補正する補正部と、を備えることを特徴とする画像読取装置。
【発明の詳細な説明】
【技術分野】
【０００１】
この発明は、搬送されながら画像を読み取られるシート状の原稿の画像データの傾きを補正する傾き補正方法、及び、この傾き補正方法を適用された画像読取装置に関する。
【背景技術】
【０００２】
シート状の原稿を搬送しながら原稿の画像を読み取る画像読取装置では、原稿搬送路中に、原稿の前端又は後端が通過するときに原稿の傾き量が変化しやすい複数の傾き量変化位置がある。このため、原稿は傾いた（スキューした）状態で画像を読み取られることがある。原稿が傾いた状態で画像を読み取られると、傾いた画像データが取得されるので、この画像データに基づいて画像を形成すると、体裁が悪くなる。
【０００３】
画像データの傾き補正方法として、読取画像データと基準画像データとを重ね合わせて出力し、ユーザが出力結果を見て読取画像データの傾き量を測定し、測定した傾き量を傾き補正量としてユーザが入力することで、傾きを補正することが提案されている（例えば、特許文献１参照。）。この従来の傾き補正方法では、１個の原稿の画像データについて、単一の傾き補正量が取得される。
【特許文献１】特開２００２−０３３９００公報
【発明の開示】
【発明が解決しようとする課題】
【０００４】
しかし、実際には、原稿の前端又は後端が複数の傾き量変化位置のそれぞれを通過する毎に画像データの傾き量が変化する可能性があり、１個の原稿の画像データの中で、傾き量が異なる複数の画像領域が発生する場合がある。
【０００５】
従来の傾き補正方法では、１個の原稿の画像データに対して傾きの大まかな補正はできたとしても、１個の原稿の画像データの中で傾き量が異なる画像領域毎に傾きを補正することはできない。このため、従来の傾き補正方法では、画像データの傾きを正確に補正することができない。
【０００６】
また、従来の傾き補正方法では、傾き補正量をユーザが手作業で測定して装置に入力するので、面倒であり、作業効率がよくない。
【０００７】
この発明の目的は、画像データの傾きをより正確に補正できる傾き補正方法及び画像読取装置を提供することにある。
【０００８】
この発明の他の目的は、画像データの傾き補正の作業効率を向上できる傾き補正方法及び画像読取装置を提供することにある。
【課題を解決するための手段】
【０００９】
この発明の傾き補正方法は、原稿の傾き量が変化しやすい傾き量変化位置を含む原稿搬送路中を搬送されながら画像を読み取られた基準原稿の読取画像データと予め記憶されている基準原稿の基準画像データとを比較した結果に基づいて、原稿搬送路を搬送中の通常の原稿から読み取られた画像データの傾きを補正する。基準原稿は、原稿搬送路中の傾き量変化位置を原稿の前端又は後端が通過するときに原稿読取位置にある原稿の箇所のそれぞれで複数の画像領域に区画されている。複数の画像領域のそれぞれに、基準図形が形成されている。読取画像データと基準画像データとについてそれぞれの対応する基準図形同士を比較することで画像領域毎の傾き量を検出し、通常の原稿から読み取られた画像データの傾きを傾き量に基づいて画像領域毎に補正する。
【００１０】
傾き量変化位置は、原稿を搬送する第１ローラに原稿の前端が接触する位置、原稿を搬送する第２ローラから原稿の後端が離間する位置、及び、原稿の幅方向の位置を規制する幅ガイド部材から原稿の後端が離間する位置のうち、少なくとも１個を含んでいてもよい。
【００１１】
基準図形は、原稿の搬送方向に直交する方向に延びる直線を含んでいてもよい。
【００１２】
この発明の画像読取装置は、画像読取部、記憶部、検出部及び補正部を備える。画像読取部は、複数の画像領域のそれぞれに基準図形を形成された基準原稿及び通常の原稿の画像を読み取る画像読取部であって画像領域は原稿搬送路中の原稿の傾き量が変化しやすい傾き量変化位置を原稿の前端又は後端が通過するときに原稿読取位置にある原稿の箇所のそれぞれで区画される。記憶部は、基準原稿の基準画像データを予め記憶する。検出部は、記憶部で記憶されている基準画像データと画像読取部で読み取られた基準原稿の読取画像データとについてそれぞれの対応する基準図形同士を比較することで画像領域毎の傾き量を検出する。補正部は、画像読取部で読み取られた通常の原稿の画像データの傾きを検出部で検出された傾き量に基づいて画像領域毎に補正する。
【発明の効果】
【００１３】
この発明の傾き補正方法によれば、基準原稿には傾き量が変化しやすい箇所で区画された画像領域毎に基準図形が形成され、対応する基準図形同士が比較されることで画像領域毎の傾き量が検出されるので、通常の原稿の画像データを、傾き量が異なる画像領域毎に傾き補正することができる。このため、画像データの傾きをより正確に補正することができる。
【００１４】
また、傾き量の検出作業及び傾き補正量の入力作業を手作業で行う必要がないので、画像データの傾き補正の作業効率を向上することができる。
【発明を実施するための最良の形態】
【００１５】
以下に、この発明を実施するための最良の形態について、図面に基づいて説明する。図１は、この発明の画像読取装置の実施形態に係る画像読取ユニット１０を搭載したファクシミリ装置１の概略の構成を示す断面図である。
【００１６】
ファクシミリ装置１は、画像読取ユニット１０及び画像記録ユニット１００を備えている。画像読取ユニット１０は、シート状の原稿Ｘを搬送しながら原稿Ｘの画像を光学的に読み取る。画像記録ユニット１００は、画像読取ユニット１０で読み取った画像データ、又は、外部から受信した画像データに基づいて、用紙Ｙに画像を形成する。画像記録ユニット１００は、この実施形態ではインクジェット方式であるが、電子写真方式等の方式であってもよい。
【００１７】
画像記録ユニット１００は、給紙トレイ１０１、給紙ローラ１０２、用紙搬送ローラ１０３、インクジェットヘッド１０４、用紙排出ローラ１０５、及び、用紙排出トレイ１０６を備えている。給紙トレイ１０１には、画像を形成すべき用紙Ｙが収容される。給紙ローラ１０２は、印刷要求に従って、用紙Ｙを１枚ずつ給紙する。用紙搬送ローラ１０３は、用紙Ｙをインクジェットヘッド１０４との対向位置へ搬送する。インクジェットヘッド１０４は、画像データに基づいて、用紙Ｙにインクを吐出することで、画像を形成する。用紙排出ローラ１０５は、画像を形成された後の用紙Ｙを排出する。用紙排出トレイ１０６には、画像を形成された後の用紙Ｙが収容される。
【００１８】
画像読取ユニット１０は、原稿延長ホッパ１１、原稿ガイド下１２、原稿ガイド上１３、原稿幅ガイド１４、第１原稿検出センサ１５、原稿給紙ローラ１６、原稿給紙板１７、分離ゴム板１８、分離圧板１９、第２原稿検出センサ２０、画像読取センサ２１、背面ローラ２２、原稿排出ローラ２３、原稿排出ピンチローラ２４、及び、原稿排出トレイ２５を備えている。
【００１９】
原稿Ｘは、原稿延長ホッパ１１及び原稿ガイド下１２に沿うようにして、前端が原稿給紙ローラ１６に当たるまで原稿搬送路に挿入され、原稿幅ガイド１４によって幅方向の位置を規制される。第１原稿検出センサ１５は、画像を読み取るべき原稿がセットされているか否かを検出する。
【００２０】
第１原稿検出センサ１５によって原稿が検出されると原稿給紙ローラ１６が回転を開始し、原稿給紙ローラ１６と原稿給紙板１７との間に挟まれた原稿Ｘが、搬送され始める。
【００２１】
分離圧板１９は分離ゴム板１８を原稿給紙ローラ１６に圧接する。原稿給紙ローラ１６と原稿給紙板１７との間に複数の原稿Ｘが挟まれた場合、上側の原稿は分離ゴム板１８との摩擦力で留め置かれ、最も下側の原稿Ｘのみが原稿搬送方向の下流側へ搬送される。
【００２２】
原稿Ｘの前端が第２原稿検出センサ２０によって検出されると、ファクシミリ装置１に原稿Ｘの前端の位置が認識され、原稿給紙ローラ１６が所定量回転することで、原稿Ｘは所定の画像読取開始位置まで搬送された後、一旦停止する。
【００２３】
操作パネル２６に設けられたスタートボタンがユーザによって押下されると、原稿給紙ローラ１６が回転を開始して、原稿Ｘの画像読取が開始される。原稿Ｘは、背面ローラ２２によって画像読取センサ２１に圧接され、画像読取センサ２１によって画像を読み取られ、画像データが取得される。
【００２４】
原稿Ｘは、原稿排出ローラ２３と原稿排出ピンチローラ２４とによって挟持され、原稿排出トレイ２５上に排出される。
【００２５】
複数の原稿Ｘが原稿搬送路に挿入されている場合、１枚目の原稿の画像が読み取られた後、第１原稿検出センサ１５が次の原稿Ｘを検出し、２枚目以降の原稿の画像が順次読み取られる。
【００２６】
図２は、ファクシミリ装置１の概略の構成を示すブロック図である。
【００２７】
ファクシミリ装置１は、制御部３０をさらに備えている。制御部３０には、画像読取センサ２１で読み取られた画像の画像データが入力され、記憶部３１に記憶される。記憶部３１には、基準原稿の正確な画像データである基準画像データが予め記憶されている。
【００２８】
第１原稿検出センサ１５及び第２原稿検出センサ２０の検出結果は、制御部３０に入力される。制御部３０は、第１原稿検出センサ１５が原稿Ｘを検出すると、モータ３２及びクラッチ等の画像読取ユニット負荷機器３３を駆動させることで、原稿給紙ローラ１６を回転させる。制御部３０は、第２原稿検出センサ２０が原稿Ｘの前端を検出することで、原稿Ｘを原稿搬送路中の所望の位置に配置することができる。例えば、制御部３０は、第２原稿検出センサ２０が原稿Ｘの前端を検出した時点からモータ３２をさらに所定量回転させることで、原稿Ｘの前端を画像読取開始時に位置すべき所定の位置に配置する。
【００２９】
画像読取センサ２１として、例えばＣＣＤ（Charge CoupledDevice）ラインセンサが用いられる。モータ３２として、例えばステッピングモータが用いられる。
【００３０】
図３（Ａ）は、画像読取開始時の原稿Ｘの位置を示す図であり、図３（Ｂ）〜図３（Ｄ）は、傾き量変化位置について説明する図であり、図３（Ｅ）は、原稿Ｘの後端Ｑが第２原稿検出センサ２０の位置にある状態を示す図であり、図３（Ｆ）は、画像読取終了時の原稿Ｘの位置を示す図である。図３（Ａ）〜図３（Ｆ）では、説明の都合上、原稿搬送路を直線状に表している。
【００３１】
図３（Ａ）〜図３（Ｆ）において、位置Ａは、原稿幅ガイド１４の原稿搬送方向の下流側端部の位置を示し、位置Ｂは、第１原稿検出センサ１５による原稿Ｘの検出位置を示し、位置Ｃは、原稿給紙ローラ１６から原稿Ｘの後端Ｑが離間する位置を示し、位置Ｄは、第２原稿検出センサ２０による原稿Ｘの検出位置を示し、位置Ｅは、画像読取センサ２１による画像読取位置を示し、位置Ｆは、原稿排出ローラ２３による原稿Ｘのニップ位置を示し、位置Ｇは、１個の原稿についての画像読取開始時に原稿Ｘの前端Ｐが配置されるべき位置を示し、位置Ｈは、１個の原稿についての画像読取終了時に原稿Ｘの後端Ｑが配置されるべき位置を示している。
【００３２】
一般的に、原稿給紙ローラ１６や原稿排出ローラ２３等の原稿Ｘを搬送するローラのそれぞれは、原稿搬送方向に直交する方向（幅方向）に２対ずつ配置される。幅方向のローラ間の外径の寸法差、２対のローラ間の原稿に対する接触圧の差、原稿検出センサが幅方向の一方端部にのみ配置されることによる原稿検出センサとの接触負荷の有無の差、原稿搬送路と原稿との幅方向の接触負荷の差等によって、原稿搬送方向に対する原稿Ｘの傾き量が変化しやすい。
【００３３】
このため、原稿Ｘの前端Ｐ又は後端Ｑが原稿搬送路中の所定の傾き量変化位置を通過するとき、原稿Ｘの傾き量が変化しやすい。なお、傾き量変化位置での傾き量には、正の値及び負の値がある。即ち、傾き量変化位置では、傾きの大きさ及び方向が変化しやすい。
【００３４】
傾き量変化位置として、原稿搬送路が曲がる位置、及び、原稿検出センサの配置位置等も挙げられるが、この実施形態では、原稿排出ローラ２３（第１ローラ）、原稿給紙ローラ１６（第２ローラ）、及び、原稿幅ガイド１４（幅ガイド部材）を想定している。
【００３５】
このため、図３（Ｂ）に示すように原稿排出ローラ２３に原稿Ｘの前端Ｐが接触するとき、図３（Ｄ）に示すように原稿給紙ローラ１６から原稿Ｘの後端Ｑが離間するとき、及び、図３（Ｃ）に示すように原稿幅ガイド１４から原稿Ｘの後端Ｑが離間するときに、原稿Ｘの傾き量が変化しやすいと考えられる。
【００３６】
図３（Ａ）に示すように、画像読取開始時に、原稿Ｘの前端Ｐは、画像読取位置Ｅより所定量、原稿搬送方向の下流側に位置する位置Ｇに配置される。
【００３７】
原稿Ｘの前端Ｐが図３（Ａ）に示す位置Ｇから図３（Ｂ）に示す位置Ｆまで搬送される間は、原稿Ｘの傾き量は略同じである。
【００３８】
図３（Ｂ）に示すように原稿Ｘの前端Ｐが原稿排出ローラ２３に挟持され始める位置Ｆにあるときから、図３（Ｃ）に示すように原稿Ｘの後端Ｑが原稿幅ガイド１４から離間する位置Ａにあるときまでの間は、原稿Ｘの傾き量は略同じである。
【００３９】
図３（Ｃ）に示すように原稿Ｘの後端Ｑが原稿幅ガイド１４から離間する位置Ｋにあるときから、図３（Ｄ）に示すように原稿Ｘの後端Ｑが原稿給紙ローラ１６から離間する位置Ｃにあるときまでの間は、原稿Ｘの傾き量は略同じである。
【００４０】
図３（Ｅ）に示すように、原稿Ｘの後端Ｑが第２原稿検出センサ２０で検出されることで、前端Ｐが第２原稿検出センサ２０で検出されることで制御部３０に認識されていた原稿Ｘの位置が補正される。これによって、原稿Ｘの後端Ｑは、図３（Ｆ）に示すように、１個の原稿Ｘについての画像読取終了時に、画像読取位置Ｅより予定量、原稿搬送方向の上流側の位置Ｈに、より正確に配置される。
【００４１】
図３（Ｄ）に示すように原稿Ｘの後端Ｑが原稿給紙ローラ１６から離間する位置Ｃにあるときから図３（Ｆ）に示すように原稿Ｘの後端Ｑが１個の原稿Ｘについての画像読取終了時に配置されるべき位置Ｈに到達するときまでの間は、原稿Ｘの傾き量は略同じである。
【００４２】
図４は、基準原稿４０の構成を示す図である。なお、説明の便宜上、基準原稿４０の前端及び後端に、原稿Ｘと同じ符号Ｐ，Ｑを使用する。
【００４３】
この実施形態では図４に示すような基準原稿４０が用いられ、基準原稿４０の画像を画像読取ユニット１０で読み取ることで、通常の原稿から読み取られた画像データの傾きが補正される。この際、基準原稿４０の原稿搬送方向の複数の箇所の画像について、傾き量が検出される。
【００４４】
図４には、前端Ｐが位置Ｇにあるとき、前端Ｐが位置Ｆにあるとき、後端Ｑが位置Ａにあるとき、後端Ｑが位置Ｃにあるとき、及び、後端Ｑが位置Ｈにあるときに、画像読取位置Ｅにある原稿の箇所を示している。
【００４５】
ここで、原稿Ｘの前端Ｐが原稿読取開始時の位置Ｇにあるときから原稿Ｘの前端Ｐが原稿排出ローラ２３に挟持されるまでの間の原稿Ｘの画像読取範囲をＪとする。原稿Ｘの前端Ｐが原稿排出ローラ２３に挟持され始める位置Ｇにあるときから原稿Ｘの後端Ｑが原稿幅ガイド１４から離間する位置Ａにあるときまでの間の原稿Ｘの画像読取範囲をＫとする。原稿Ｘの後端Ｑが原稿幅ガイド１４から離間する位置Ａにあるときから原稿Ｘの後端Ｑが原稿給紙ローラ１６から離間する位置Ｃにあるときまでの間の原稿Ｘの画像読取範囲をＬとする。原稿Ｘの後端Ｑが原稿給紙ローラ１６から離間する位置Ｃにあるときから原稿Ｘの後端Ｑが１個の原稿Ｘについての画像読取終了時に配置されるべき位置Ｈに到達するときまでの間の原稿Ｘの画像読取範囲をＭとする。
【００４６】
各範囲Ｊ〜Ｍのそれぞれの範囲内では、傾き量の増減度は略一定となる。
【００４７】
この実施形態では、範囲Ｊに対応する基準図形として、前端Ｐが位置Ｇにあるときに画像読取位置Ｅにある原稿Ｘの箇所に、原稿搬送方向に直交する方向の直線４１が形成される。
【００４８】
範囲Ｋに対応する基準図形として、範囲Ｋの原稿搬送方向の中央部に、原稿搬送方向に直交する方向の直線４２が形成される。
【００４９】
範囲Ｌに対応する基準図形として、範囲Ｌの原稿搬送方向の中央部に、原稿搬送方向に直交する方向の直線４３が形成される。
【００５０】
範囲Ｍに対応する基準図形として、範囲Ｍの原稿搬送方向の中央部に、原稿搬送方向に直交する方向の直線４４が形成される。
【００５１】
範囲Ｋ，Ｌ，Ｍのそれぞれの中央部に基準図形としての直線４２〜４４が形成されるので、各範囲内での平均的な傾き量を検出することができる。また、基準図形として原稿搬送方向に直交する方向の直線が用いられるので、各範囲Ｊ〜Ｍの傾き量の検出が容易になる。
【００５２】
範囲Ｊについては、範囲Ｊの中の原稿搬送方向の前端部に直線４１が形成されるが、前端Ｐが位置Ｇに到達するまでの間にも原稿Ｘは傾いていると考えられるためである。なお、範囲Ｊに対応する基準図形として、範囲Ｊの原稿搬送方向の中央部に、原稿搬送方向に直交する方向の直線が形成されてもよい。
【００５３】
傾き量変化位置として原稿搬送路中の位置を追加する場合は、基準原稿４０に形成する基準図形としての直線の数が増加される。
【００５４】
原稿Ｘの原稿搬送方向の長さには数種類のものがあるが、原稿Ｘの原稿搬送方向の長さが変わると範囲Ｋの原稿搬送方向の長さが変わるが、他の範囲Ｊ，Ｌ，Ｍの長さは変わらない。原稿Ｘの前端Ｐ及び後端Ｑが第２原稿検出センサ２０で検出されることによって得られる原稿の位置情報に基づいて、範囲Ｋに対応する基準図形（直線４２）の位置を調整することで、原稿Ｘの原稿搬送方向の長さの違いに対応することができる。このため、原稿搬送方向の長さが異なる基準原稿を作成する必要はなく、原稿搬送方向の長さが単一の用紙で基準原稿を作成することができる。
【００５５】
図５は、基準画像データの画像と基準原稿４０を読み取って得られる読取画像データの画像とを重合した状態を示す図である。図５において、２点鎖線は基準画像データの画像を示し、直線は基準原稿４０の読取画像データの画像を示している。図５に示す図は、実際に用紙に印刷されるのではなく、制御部３０の処理上のイメージ図を示している。
【００５６】
基準画像データの画像と基準原稿４０の読取画像データの画像とについて、それぞれの対応する基準図形同士を比較することで、範囲Ｊ，Ｋ，Ｌ，Ｍのそれぞれの画像領域毎の傾き量が検出される。具体的には、範囲Ｊの画像領域の傾き量として、基準画像データの画像の直線４１と読取画像データの画像の直線４１Ａとの角度Ｒが、例えば各直線の座標に基づいて検出される。
【００５７】
範囲Ｋの画像領域の傾き量として、基準画像データの画像の直線４２と読取画像データの画像の直線４２Ａとの角度Ｓが検出される。範囲Ｌの画像領域の傾き量として、基準画像データの画像の直線４３と読取画像データの画像の直線４３Ａとの角度Ｔが検出される。範囲Ｍの画像領域の傾き量として、基準画像データの画像の直線４４と読取画像データの画像の直線４４Ａとの角度Ｕが検出される。
【００５８】
各画像領域について検出された傾き量は、この実施形態ではそのまま傾き補正量とされる。検出された傾き量に所定の係数を乗算する等の補正をすることで、傾き補正量を算出することもできる。
【００５９】
図６は、制御部３０の処理手順を示すフローチャートである。
【００６０】
制御部３０は、画像データの傾きを補正する際に、まず、基準原稿４０の画像を読み取って読取画像データを取得する（Ｓ１）。制御部３０は、次に、予め記憶部３１に記憶している基準原稿の正確な画像データである基準画像データと、読取画像データとについて、それぞれの対応する基準図形（直線４１〜４４，４１Ａ〜４４Ａ）同士を比較することで、範囲Ｊ〜Ｍの画像領域毎の傾き量を検出する（Ｓ２）。
【００６１】
制御部３０は、検出した傾き量に基づいて画像領域毎の傾き補正量を算出する（Ｓ３）。この実施形態では、上述のように、検出した傾き量を傾き補正量として用いる。
【００６２】
制御部３０は、画像を読み取るべき通常の原稿の画像を読み取って画像データを取得し（Ｓ４）、範囲Ｊ〜Ｍの画像領域毎にそれぞれの傾き補正量で傾きを補正する（Ｓ５〜Ｓ８）。この実施形態では、制御部３０は、範囲Ｊの画像データの傾きを角度Ｒだけ補正し、範囲Ｋの画像データの傾きを角度Ｓだけ補正し、範囲Ｌの画像データの傾きを角度Ｔだけ補正し、範囲Ｍの画像データの傾きを角度Ｕだけ補正する。
【００６３】
これによって、通常の原稿の画像データの傾きは傾き量が異なる画像領域毎に補正されるので、画像データの傾きをより正確に補正することができる。したがって、元の原稿の画像により忠実な画像データを取得することができる。
【００６４】
また、傾き量の検出作業及び傾き補正量の入力作業を手作業で行う必要がないので、画像データの傾きの補正の作業効率が向上する。
【００６５】
この発明の傾き補正方法及び画像読取装置は、ファクシミリ装置の他に、スキャナ装置及び複写機等に適用することができる。
【００６６】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００６７】
【図１】この発明の画像読取装置の実施形態に係る画像読取ユニットを搭載したファクシミリ装置の概略の構成を示す断面図である。
【図２】ファクシミリ装置の概略の構成を示すブロック図である。
【図３】（Ａ）は、画像読取開始時の原稿の位置を示す図であり、（Ｂ）〜（Ｄ）は、傾き量変化位置について説明する図であり、（Ｅ）は、原稿の後端が第２原稿検出センサの位置にある状態を示す図であり、（Ｆ）は、画像読取終了時の原稿の位置を示す図である。
【図４】基準原稿の構成を示す図である。
【図５】基準画像データの画像と基準原稿を読み取って得られる読取画像データの画像とを重合した状態を示す図である。
【図６】制御部の処理手順を示すフローチャートである。
【符号の説明】
【００６８】
１  ファクシミリ装置
１０  画像読取ユニット（画像読取装置）
１４  原稿幅ガイド（幅ガイド部材）
１６  原稿給紙ローラ
２０  第２原稿検出センサ
２１  原稿読取センサ（画像読取部）
２３  原稿排出ローラ
３０  制御部（検出部、補正部）
３１  記憶部
４０  基準原稿
４１〜４４  直線（基準図形）
Ｘ  原稿
Ｐ  前端
Ｑ  後端
【図１】
2008167093.tif 000003
【図２】
2008167093.tif 000004
【図３】
2008167093.tif 000005
【図４】
2008167093.tif 000006
【図５】
2008167093.tif 000007
【図６】
2008167093.tif 000008